(57)【要約】    【課題】  カートリッジケースは、中綿を交換後使用しない物だけに、子供の遊び道具の１つにもなってしまっていた。そして、好奇心が旺盛な子供は、飲食物の他に、遊び道具なども口に入れてしまう傾向にあり、前記カートリッジケースも例外ではない。ここでカートリッジケースを口に入れる際にはあまり問題とはならないが、キャップを外し、そのキャップを口に入れてしまうと、咽喉などの呼吸器を詰まらせてしまう危険性がある。    【構成】  インキ収容部材のカートリッジケースを筒体とキャップとから構成すると共に、そのキャップには外側と内側を連通する貫通孔を形成し、又、前記カートリッジケースを袋体で密封したキ収容部材の収納容器。【選択図】  図１
2005088448.tif 000002
【特許請求の範囲】
【請求項１】
インキ収容部材のカートリッジケースを筒体とキャップとから構成すると共に、そのキャップには外側と内側を連通する貫通孔を形成し、又、前記カートリッジケースを袋体で密封したことを特徴とするインキ収容部材の収納容器。
【請求項２】
前記袋体は、ポリプロピレンとポリエチレンテレフタレートの間にアルミシートを介在させた構成としたことを特徴とする請求項１記載のインキ収容部材の収納容器。
【請求項３】
前記インキ収容部材を繊維束体と、その繊維束体の周面に巻回した合成樹脂製フィルムとから構成したことを特徴とする請求項１或いは、請求項２に記載のインキ収容部材の収納容器。
【発明の詳細な説明】
【技術分野】
【０００１】
本発明は、インキ収容部材の収納容器に関する。
【背景技術】
【０００２】
近年、廃棄物の低減とリサイクル活動に伴い、繊維束体からなる交換用中綿が販売されるようになってきており、その交換用中綿は筒状のカートリッジケースに収容されている。
そのカートリッジケースは、一端側が開放された筒体と、その筒体の開口部に着脱自在に嵌め込まれたキャップとから構成されている。詳述すると、そのキャップは、前記交換用中綿の端部を被冠すると共に、その開口部側の外周面には、前記筒体内の環状突起を乗り越えて気密性を保持すべく嵌合する環状突起と、同筒体内の複数の掛止突起を乗り越えさせて掛止する環状突起とが形成されている。
【特許文献１】特開２００２−６７５７３号
【発明の開示】
【発明が解決しようとする課題】
【０００３】
ところで、前記カートリッジケースは、中綿を交換後使用しない物だけに、子供の遊び道具の１つにもなってしまっていた。そして、好奇心が旺盛な子供は、飲食物の他に、遊び道具なども口に入れてしまう傾向にあり、前記カートリッジケースも例外ではない。ここでカートリッジケースを口に入れる際にはあまり問題とはならないが、キャップを外し、そのキャップを口に入れてしまうと、咽喉などの呼吸器を詰まらせてしまう危険性がある。
【課題を解決するための手段】
【０００４】
本発明は、インキ収容部材のカートリッジケースを筒体とキャップとから構成すると共に、そのキャップには外側と内側を連通する貫通孔を形成し、又、前記カートリッジケースを袋体で密封したことを要旨とする。
【発明の効果】
【０００５】
本発明は、インキ収容部材のカートリッジケースを筒体とキャップとから構成すると共に、そのキャップには外側と内側を連通する貫通孔を形成し、又、前記カートリッジケースを袋体で密封しているので、万が一、キャップを喉に詰まらせてしまっても、ある程度の空気を流通させることができ、手当てまでの窒息死を極力防止することができる。
【発明を実施するための最良の形態】
【０００６】
図１〜図５に示し説明する。カートリッジケースＡは、筒体１と、その筒体１に対して着脱自在に嵌合するキャップ２とから構成されている。前記筒体１は、上部が開口部となっているが、下部も開口部１ａとなっている。しかし、下部の開口部１ａの直径は、後述するインキ収容部材３の外径よりも小径となっている。具体的には、徐々に縮径する半球状をなしており、その下端部に開口部１ａが形成されている。即ち、インキ収容部材３は、開口部１ａ内方近傍において、僅かではあるが圧入状態となっており、収容した際の筒体１に対する安定性を図っている。又、前記開口部１ａは、空気の流通を確保することもできるが、前記インキ収容部材３を筒体１内に収納し、次いで、キャップ２をした後に、前記開口部１ａから注射器などを差し込み、インキ収容部材３にインキを充填しても良い。硬質な筒体１で覆われている為、インキ収容部材３を潰すことなど無く、又、手などを汚すことなく容易にインキを充填することができる。
前記筒体１の全長は、インキ収容部材３の全長よりも短く形成されており、収納した際にはインキ収容部材３の頂部が筒体１の開口部から露出するようになっている。インキ収容部材３を交換する際、そのインキ収容部材３を容易に筒体１から抜き出すことができるようになっている。
尚、前記筒体１は、ポリプロピレンやポリエチレンテレフタレートなどの樹脂材質から形成されているが、アルミ缶などであっても良いが、収納するインキ収容部材３が潰れたりしないよう、比較的硬い材質で形成するのが好ましい。
【０００７】
一方、前記キャップ２の天面には、外側と内側を連通する扇型をした貫通孔４が放射状に４個形成されているが、これに限ることなく、１個や３個、５個や６個であっても良いが、インキ収容部材３の外径よりも小さな貫通孔とするのが好ましい。この貫通孔４は、空気の流通を確保することが主な目的となっているが、前記インキ収容部材３を筒体１内に収納し、次いで、キャップ２をした後に、前記貫通孔４から注射器などを差し込み、インキ収容部材３にインキを充填しても良い。硬質な筒体１で覆われている為、インキ収容部材３を潰すことなど無く、又、手などを汚すことなく容易にインキを充填することができる。又、筒体１にキャップ２を嵌合させる際には、嵌合の際に発生する圧縮空気が前記貫通孔４から抜け出る為、容易にキャップ２を筒体１に挿着することができる。
前記キャップ２は、基本的に筒状をなしているが、外周部の天面から下方に向けて平坦部５が放射状の４箇所に形成されている。キャップ２と筒体１は、緩い嵌合力となっているが、平坦部５を指などでつまみ、筒体１に対して相対的に回転させることによって、容易にキャップ２を筒体から外すことができるものとなっている。
【０００８】
次ぎに、前記インキ収容部材３について説明する。インキ収容部材３は、毛細管力が作用する繊維集束体とその繊維集束体の外周に巻回された合成樹脂製のフィルム部材から構成されている。そのフィルム部材は、ポリプロピレンやポリエチレンなどの非常に薄い樹脂材質から形成されているが、必ずしも必要なものではないが、繊維集束体の集束性を向上させる為で使用するのが好ましい。即ち、インキ収容部材３の交換の際には、ばらけることなく、容易に交換することができるのである。
尚、前記繊維集束体の他に、スポンジや多数の板状部材から構成されるインキ収容部材としても良いが、インキの収容部に対する保持性の観点からでは繊維集束体とするのが好ましい。
【０００９】
前記インキ収容部材３を収納したカートリッジケースＡは、気体透過性の少ない袋体６に密封されている。その袋体６の材質としては、フッ素樹脂やポリブチレンテレフタレートなどの樹脂材質、アルミニウムやステンレスなどの金属材質、或いは、前記樹脂材質と金属材質を積層したもの、更には、前記樹脂材質であるポリプロピレンの表面にアルミ蒸着などを施したもの、或いは、ポリプロピレンとポリエチレンテレフタレートの間にアルミシートを介在させたものなどが例示できるが、アルミ蒸着したものやアルミシートを介在させたものなど、不透明な材料や紫外線透過の低い材料を使用することによってインキの変色などが防止される。
又、本例における袋体６は、２枚のシート状物を重ね、その各辺を熱溶着することによって密封した袋体を構成しているが、接着材などで貼着しても良く、更には、予め袋状の物にカートリッジケースを挿入し、その挿入口を封止しても良い。
【図面の簡単な説明】
【００１０】
【図１】本発明の１例を示す縦断面図。
【図２】図１の外観正面図。
【図３】カートリッジケースを示す縦断面図。
【図４】図３の外観拡大上面図。
【符号の説明】
【００１１】
１    筒体
１ａ  開口部
２    キャップ
３    インキ収容部材
４    貫通孔
５    平坦部
６    袋体
Ａ    カートリッジケース
【図１】
2005088448.tif 000003
【図２】
2005088448.tif 000004
【図３】
2005088448.tif 000005
【図４】
2005088448.tif 000006